(57)【要約】  【課題】雲台機構を備えていないテレビジョンカメラは、一旦、テレビジョンカメラを固定してしまうと垂直方向の画角微調整をするためには、再度テレビジョンカメラの固定位置を調整しなおさなければならないという欠点がある。  本発明の目的はこの欠点を除去し、テレビジョンカメラ固定位置を変えることなく、アスペクト比変換と垂直方向の画角微調整を行えることを目的とするものである。  【解決手段】本発明のテレビジョンカメラシステムは、電子ズーム手段と、電子ズーム手段を使用したアスペクト比変換手段と、電子ズーム手段の画像切り出しを使用した電子チルト手段とを有し、電子チルト手段は遠隔制御手段により制御することを特徴とする。【選択図】  図２
2008193554.tif 000002
【特許請求の範囲】
【請求項１】
テレビジョンカメラシステムにおいて、
電子ズーム手段と、前記電子ズーム手段を使用したアスペクト比変換手段と、前記電子ズーム手段の画像切り出しを使用した電子チルト手段とを有し、前記電子チルト手段は遠隔制御手段により制御することを特徴とするテレビジョンカメラシステム。
【発明の詳細な説明】
【技術分野】
【０００１】
本発明は、テレビジョンカメラシステムに関し、特にアスペクト比変換と電子チルトに関するものである。
【背景技術】
【０００２】
従来、テレビジョンカメラから出力する映像信号のアスペクト比変換は、フレームメモリの書き込みおよび読み出し制御により行っていた。（例えば、特許文献１参照。）。
【特許文献１】特開平１０−３０４３１４号公報
【発明の開示】
【発明が解決しようとする課題】
【０００３】
前述の従来技術の雲台機構（パン／チルト機構）を備えていないテレビジョンカメラにおいては、テレビジョンカメラを一旦固定してしまうと画角微調整をするために、再度テレビジョンカメラの固定位置を調整しなおさなければならないという欠点がある。
【０００４】
本発明の目的はこの欠点を除去し、テレビジョンカメラ固定位置を変えることなく、アスペクト比変換と垂直方向の画角微調整を行えることを目的とするものである。
【課題を解決するための手段】
【０００５】
本発明のテレビジョンカメラシステムは、電子ズーム手段と、電子ズーム手段を使用したアスペクト比変換手段と、電子ズーム手段の画像切り出しを使用した電子チルト手段とを有し、電子チルト手段は遠隔制御手段により制御することを特徴とする。
【発明の効果】
【０００６】
本発明によれば、雲台機構（チルト機構）を備えていないテレビジョンカメラにおいても、テレビジョンカメラの固定位置を変えることなく、アスペクト比変換および垂直方向の画角微調整を遠隔制御で行うことができる。
【発明を実施するための最良の形態】
【０００７】
以下、本発明によるテレビジョンカメラ（撮像装置）の映像信号のアスペクト比変換と電子チルトの一実施例について図１乃至図３を用いて説明する。
【０００８】
図１は本発明の一実施例のテレビジョンカメラシステムを示すブロック図である。なお、図１は本発明の説明に必要な部分のみを記載している。また、撮像装置（テレビジョンカメラ）１は、垂直方向へのチルト機構を持っていない。
【０００９】
図１において、１は撮像装置、２は入射光を結像するレンズ部、３はレンズ部２から入射した光を電気信号に変換するＣＣＤ（Charge Coupled Device）撮像素子部、４はＣＣＤ撮像素子部３から出力された信号から雑音を除去するＣＤＳ（Correlated Double Sampling）部、５はＣＤＳ部４から出力された信号の利得を調整するアンプ部、６はアンプ部５から出力されたアナログ信号をデジタル信号に変換するＡ／Ｄ変換部（Analog Digital Converter）、７はＣＣＤ撮像素子部３から後述の方法で間引き読出しされた映像信号に対してライン（走査線）補間を行うライン補間部、８は種々の画像処理を施してから所定方式の映像信号に変換して出力する映像信号処理部、９は撮像装置１内の各部を制御するＣＰＵ（Central Processing Unit）である。１０はＣＣＤ撮像素子部３の高速転送および通常転送開始位置および間引き読み出しを行うＣＣＤ駆動部である。１１は撮像装置１から出力された映像信号を表示する表示装置、１２は後述のアスペクト比と電子チルトを制御する制御装置である。
【００１０】
図２は本発明の一実施例であるアスペクト比変換と電子チルトを説明するための図である。
【００１１】
図２の（ａ）は、のＣＣＤ受光面に撮像された入射光像を示している。ＣＣＤ撮像素子部３のＣＣＤ受光面はアスペクト比が４：３である。本一実施例では、入射光像が“正円”である場合である。撮像装置１から出力する映像信号のアスペクト比を１６：９にするため、ＣＣＤ撮像素子部３から出力する映像信号をＣＣＤ駆動部１０により中央を中心に間引き読出しし、ライン補間部７で間引き読出しにより欠けているライン（走査線）をライン補間して垂直方向を１．３３３倍にする。この映像信号をアスペクト比４：３の表示装置１１で表示すると図２（ｂ）で示すように“正円”が縦長の“楕円”となる。この垂直方向が１．３３３倍された映像信号をアスペクト比１６：９の表示装置（モニタ）１１で表示すると図２（ｃ）で示すように“正円”となる。
【００１２】
図２（ｄ）はＣＣＤ撮像素子部３から出力される映像信号をＣＣＤ駆動部１０により上から順番に間引き読出しし、ライン補間部７でライン（走査線）補間を行うことにより垂直方向を１．３３３倍にして得られた映像信号である。この映像信号をアスペクト比１６：９の表示装置１１で表示すると “正円”は下方向に移動する。（ｅ）はＣＣＤ撮像素子部３から出力される映像信号をＣＣＤ駆動部１０により最下位のラインまでを読み出すように間引き読出しし、ライン補間部７でライン（走査線）補間を行うことにより垂直方向を１．３３３倍にして得られた映像信号である。この映像信号をアスペクト比１６：９の表示装置１１で表示すると、“正円”は上方向に移動する。このようにＣＣＤ撮像素子部３の間引き読み出す位置を変更することにより、電子チルトとなる。なお、従来の標準テレビ（ＳＤＴＶ）受像機の画面のアスペクト比は４：３であるが、横長テレビ受像機やＨＤＴＶ(High Definition TV) 受像機の画面のアスペクト比は１６：９である。
【００１３】
図３は、本発明の一実施例であるアスペクト比変換と電子チルトの制御を説明するための図である。図３は制御装置１２のディスプレイ（図示しない）に表示される操作画面である。図３の制御装置１２の操作画面で“４：３”のアスペクト比を選択すると電子チルトは動作しない。図３の操作画面で“１６：９”のアスペクト比を選択すると電子チルトは動作させることができる。図３の操作画面で電子チルトの上向きの矢印を押すとカーソルが中央から上に移動する。例えば、カーソルは、マウス等のポインティングデバイスやキーボードのボタン操作により行う。電子チルトの動作は、カーソルの移動量に従って、ＣＣＤ撮像素子部３の読出し位置を変更する。図３の操作画面で電子チルトの下向きの矢印を押すとカーソルが中央から下に移動する。カーソルの移動量に従ってＣＣＤ撮像素子部３の読出し位置を変更する。このように動作させるためには、制御装置１２から制御信号をＣＰＵ９に入力し、ＣＰＵ９からＣＣＤ駆動部１０を介してＣＣＤ撮像素子部３の読出し位置を変更する。なお、制御装置１２の操作画面は、制御装置１２に内蔵のディスプレイまたは外付けのディスプレイのどちらに表示しても良いし、表示装置１１に重畳表示しても良い。
【００１４】
本発明により、テレビジョンカメラ固定位置を変えることなく、アスペクト比変換および垂直方向の画角微調整を遠隔制御で行うことができる。
【００１５】
本発明の一実施例では、撮像装置１と表示装置１１および制御装置１２の接続を直接接続で説明したが、無線やインターネット等を介して接続して良いことは言うまでもない。
【００１６】
以上本発明について詳細に説明したが、本発明は、ここに記載されたテレビジョンカメラシステムに限定されるものではなく、上記以外のテレビジョンカメラシステムに広く適用することができることは言うまでもない。
【図面の簡単な説明】
【００１７】
【図１】本発明の一実施例のテレビジョンカメラシステムを示すブロック図。
【図２】本発明の一実施例であるアスペクト比変換と電子チルトを説明するための図。
【図３】本発明の一実施例である制御装置の操作画面を説明するための図。
【符号の説明】
【００１８】
１：撮像装置、２：レンズ部、３：ＣＣＤ撮像素子部、４：ＣＤＳ部、５：アンプ部、６：Ａ／Ｄ変換部、７：ライン補間部、８：映像信号処理部、９：ＣＰＵ、１０：ＣＣＤ駆動部、１１：ＣＣＤ駆動部、１２：制御装置。
【図１】
2008193554.tif 000003
【図２】
2008193554.tif 000004
【図３】
2008193554.tif 000005